(57)【要約】【課題】  設置コストの低減化を図ることができ、かつ施工性に優れて工事期間の短縮化も実現することができるとともに、建物における面積の有効利用も図ることが可能となる空気流通窓を有する外壁構造を提供する。【解決手段】  躯体構造となる壁１１と壁１１に取り付けられた仕上げ材１２との間に空気流通路１３が形成された外壁１０の開口部に、外側ガラス１５と内側ガラス１６とが取り付けられた一体の窓サッシ１４を設け、外側ガラス１５と内側ガラス１６との間のサッシ内空間１８と空気流通路１３とを連通させる孔部２０を形成するとともに、内側ガラス１６を、室内Ｒから開閉自在に設けたことを特徴とする。【選択図】  図２
2005256277.tif 000002
【特許請求の範囲】
【請求項１】
躯体構造となる壁と当該壁に取り付けられた仕上げ材との間に空気流通路が形成された外壁の開口部に、外側ガラスと内側ガラスとが取り付けられた一体の窓サッシを設け、上記外側ガラスと内側ガラスとの間のサッシ内空間と上記空気流通路とを連通させる孔部を形成するとともに、上記内側ガラスを、室内から開閉自在に設けたことを特徴とする空気流通窓を有する外壁構造。
【請求項２】
上記窓サッシに、外部と上記サッシ内空間または上記空気流通路とを連通させる外気取り入れ部を室内側から開閉可能に設けるとともに、上記孔部に、開度を調節可能な開閉ダンパを室内側から操作可能に設けたことを特徴とする請求項１に記載の空気流通窓を有する外壁構造。
【請求項３】
上記窓サッシは、上記外側ガラスと内側ガラスとの間に、日除け手段が組み込まれていることを特徴とする請求項１または２に記載の空気流通窓を有する外壁構造。
【発明の詳細な説明】
【技術分野】
【０００１】
本発明は、建物の外壁に、２重ガラス間に空気流通路が形成される窓サッシを組み込んだ空気流通窓を有する外壁構造に関するものである。
【背景技術】
【０００２】
従来より、外壁に設けられる窓として、２重ガラスの間に空気を流通させることにより、断熱性や快適性ひいては建物全体としての省エネルギー性を向上さた空気流通窓を用いた各種の外壁構造が知られている。
【０００３】
このような空気流通窓を有する外壁構造においては、内外側ガラス間に、メンテナンス時における作業員のスペース確保のために、最低６０ｃｍ程度の離間寸法が必要となり、この結果壁全体としては、９０ｃｍ程度の厚さ寸法となる。このため、外壁として、２重の外壁を設けた外壁構造（ダブルスキン）を採用し、各々の外壁に内外側ガラスを取り付けるとともに、これら外壁間に点検用の歩廊を設ける構造が一般的である。
【０００４】
図４は、従来のこの種の外壁構造を示すものである。
この外壁構造は、２重の外壁１ａ、１ｂを有し、外側の外壁１ａに金物２を介して外側ガラス３ａを取り付け、他方内側の外壁１ｂの開口部に内側ガラス３ｂを取り付けることにより、これら外壁１ａ、１ｂおよび内外側ガラス３ａ，３ｂ間に、上下方向に連通する空気流通路４を形成したものである。
【０００５】
そして、この外壁構造においては、外側ガラス３ａに沿ってブラインド５が設けられるとともに、外壁１ａ、１ｂ間には、内外側ガラス３ａ、３ｂ間のメンテナンスを行うための点検歩廊７が、各階層の床スラブ６と連続するように、かつグレーチング等を用いることにより空気流通路４における空気の流れを妨げないように設けられている。なお、図中符号８は建物の躯体構造を構成するとともに、床スラブ６を支承する梁であり、符号９は天井面を示すものである。
【発明の開示】
【発明が解決しようとする課題】
【０００６】
ところで、上記従来の外壁構造にあっては、内外側ガラス３ａ、３ｂ間のメンテナンスを行うにあたって、作業者が狭隘な外壁１ａ、１ｂ間に入り込み、点検歩廊７上からこれを行う構造であるために、極めて作業性に劣るという問題点があった。
また、上記点検歩廊７を設けるために、内外側ガラス３ａ、３ｂ間に少なくとも６０ｃｍ程度の間隔を必要とする結果、建物としての有効利用面積が小さくなって経済性に劣り、かつデザイン上の制約も大きくなるという問題点もあった。
【０００７】
加えて、内外側ガラス３ａ、３ｂおよびこれらを取り付ける外壁１ａ、１ｂを独立した構造とせざるを得ず、よって外壁１ａ、１ｂの構築や、外側ガラス３ａ、内側ガラス３ｂおよび点検歩廊７等の設置を、現場にて個別に施工する必要があるために、施工性に劣るとともに、全体として設置コストの高騰化も招来するという問題点があった。
【０００８】
この発明は、かかる事情に鑑みてなされたもので、設置コストの低減化を図ることができ、かつ施工性に優れて工事期間の短縮化も実現することができるとともに、建物における面積の有効利用も図ることが可能となる空気流通窓を有する外壁構造を提供することを課題とするものである。
【課題を解決するための手段】
【０００９】
上記課題を解決するために、請求項１に記載の本発明に係る空気流通窓を有する外壁構造は、躯体構造となる壁と当該壁に取り付けられた仕上げ材との間に空気流通路が形成された外壁の開口部に、外側ガラスと内側ガラスとが取り付けられた一体の窓サッシを設け、上記外側ガラスと内側ガラスとの間のサッシ内空間と上記空気流通路とを連通させる孔部を形成するとともに、上記内側ガラスを、室内から開閉自在に設けたことを特徴とするものである。
【００１０】
また、請求項２に記載の発明は、請求項１に記載の窓サッシに、外部と上記サッシ内空間または上記空気流通路とを連通させる外気取り入れ部を室内側から開閉可能に設けるとともに、上記孔部に、開度を調節可能な開閉ダンパを室内側から操作可能に設けたことを特徴とするものである。
さらに、請求項３に記載の発明は、請求項１または２に記載の窓サッシは、上記外側ガラスと内側ガラスとの間に、日除け手段が組み込まれていることを特徴とするものである。ここで、日除け手段とは、ブラインド、ルーバー、スクリーン等の各種の日除け装置の総称である。
【発明の効果】
【００１１】
請求項１〜３のいずれかに記載の発明によれば、内側ガラスを室内から開閉することができるために、外側ガラスと内側ガラスとの間のメンテナンスを室内側から容易に行うことができる。この結果、これら外側ガラスと内側ガラスとの間隔を従来よりも大幅に狭くすることが可能となるために、従来と比較して、建物全体としての有効面積を大きく取ることができる。
しかも、躯体構造となる壁と当該壁に取り付けられた仕上げ材との間に空気流通路を形成し、当該空気流通路と内外側ガラス間のサッシ内空間とを孔部を介して連通させることにより、断熱性や建物全体の省エネルギー性を向上させるための空気流路を確保することができる。
【００１２】
この結果、本発明に係る外壁構造によれば、上記外側ガラスおよび内側ガラスを一体の窓サッシに組み込んで、一体製品として工場で製造し、かつ一体物として外壁に取り付けることが可能となる。また、仕上げ材と一体となった外壁自体も、外部仕上げ材と構造材とを一体加工とすることによって、サッシと共に一度の揚重で施工が可能となる。よって従来２重の外壁を必要としたダブルスキンを、１重の外壁によって実現することが可能になる。
このため、構造が簡易になり、よって製作精度も向上するとともに大幅なコスト低減と図ることができる。加えて、施工も大幅に容易となるために、これにより工事期間の短縮化も図ることができる。
【００１３】
ここで、特に請求項２に記載の発明によれば、室内側から、窓サッシに設けた外部とサッシ内空間または上記空気流通路とを連通させる外気取り入れ部を開閉したり、あるいは孔部に設けた開閉ダンパによって孔部の開閉操作を行うことにより、季節や外気温度等の状況に合わせて、適宜上記空気流通路内の空気温度を調整することができる。
【００１４】
さらに、請求項３に記載の発明においては、上記サッシ内空間にブラインドを組み込んでいるので、上記請求項２に記載の発明との協働により、上述した断熱性や快適性を一層向上させることが可能となる。
また、このブラインドは、内側ガラスを室内から開閉することにより容易にメンテナンス等が行えるために、別途室内にブラインド等の日除け手段を設ける必要が無い。
【発明を実施するための最良の形態】
【００１５】
図１〜図３は、本発明の空気流通窓を有する外壁構造の一実施形態を示すもので、図４に示したものと同一構成部分については、同一符号を付してその説明を簡略化する。
これらの図において、符号１０は外壁であり、この外壁１０は、躯体構造となる壁１１と、この壁１１に、図示されない金具を介して取り付けられた仕上げ材１２とから構成されている。これにより、この外壁１０における壁１１と仕上げ材１２との間には、空気流通路１３が形成されている。
【００１６】
そして、外壁１０の開口部に、窓サッシ１４が取り付けられている。この窓サッシ１４は、例えばアルミニウム等の金属あるいは木によって一体化された枠体であり、その外面側には、外側ガラス１５が嵌め込まれている。また、窓サッシ１４の室内側には、内側ガラス１６が取り付けられており、当該内側ガラス１６は、図３に示すように、一側に設けられたヒンジ１６ａによって、室内Ｒ側から開閉自在に設けられている。
【００１７】
さらに、この窓サッシ１４内には、内側ガラス１６に沿ってブラインド１７が吊設されている。ここで、ブラインド１７は、窓サッシ１４の上部を貫通して室内Ｒ側に延出されたロッド１７ａによって、室内Ｒ側から開閉操作可能に設けられている。
他方、窓サッシ１４の頂部には、外側ガラス１５と内側ガラス１６との間のサッシ内空間１８を塞ぐ頂板１９（図２参照）が設けられており、さらにこの頂板１９には、サッシ内空間１８と空気流通路１３とを連通させる孔部２０が穿設されている。
【００１８】
そして、この孔部２０に、これを開閉するダンパ２１が設けられている。このダンパ２１は、孔部２０を開閉する操作板２２が孔部２０に渡された軸２３回りに回動自在に設けられたもので、操作板２２は、軸２３に巻回されたコイルスプリングの端部が、当該操作板２２に係止されることにより、孔部２０を閉じる方向に付勢されている。
【００１９】
また、この操作板２２には、コイルスプリングの付勢力に抗して操作板２２を軸２３回りに回動させて、孔部２０を開くダンパー操作用ワイヤ２４の一端部が固定されている。そして、この操作用ワイヤ２４の他端部が、案内ローラ２５を介して壁１１の通気口１１ａから室内Ｒに引き込まれことにより、ダンパ２１は室内Ｒから開閉操作が可能となっている。
【００２０】
さらに、図２に示すように、窓サッシ１４の上部外側には、開口部２６が形成されており、この開口部２６に、外部と空気流通路１３とを連通させる外気取り入れ部２７が設けられている。この外気取り入れ部２７は、開口部２６を開閉する蓋状部材であり、ロッド２８によって水平方向に移動自在に設けられている。
【００２１】
このロッド２８の基端部２８ａと操作箱２９との間には、平常時、外気取り入れ部２７を開口部２６側（閉側）に付勢するスプリング３０が介装されている。また、ロッド２８の基端部２８ａには、スプリング３０の付勢力に抗して外気取り入れ部２７を図中点線で示す開口部２６の開位置まで移動させる操作用ワイヤ３１の一端部が固定されている。
【００２２】
そして、この操作用ワイヤ３１の他端部が、同様に案内ローラ３２を介して壁１１の通気口１１ａから室内Ｒに引き込まれことにより、外気取り入れ部２７についても室内Ｒから開閉操作が可能となっている。なお、図中符号３３は、開口部２６の内壁に突設されて外気取り入れ部２７を閉位置に係止するストッパである。また、符号３４、３５は、それぞれ窓サッシ１４と仕上げ材１２または壁１１との間に介装されたシールである。
【００２３】
以上の構成からなる空気流通窓を有する外壁構造によれば、内側ガラス１６を室内Ｒから開閉することができるために、外側ガラス１５と内側ガラス１６との間のメンテナンスを室内Ｒ側から容易に行うことができる。この結果、外側ガラス１５と内側ガラス１６との間隔を、例えば３０ｃｍ以下といった従来よりも大幅に狭くすることが可能となるために、従来と比較して、建物全体としての有効面積を大きく取ることができる。
また、躯体構造となる壁１１とこれに取り付けられた仕上げ材１２との間に形成した空気流通路１３と内外側ガラス１５、１６間のサッシ内空間１８とを孔部２０を介して連通させることにより、断熱性や建物全体の省エネルギー性を向上させるための空気流路を確保することができる。
【００２４】
したがって、上記外壁構造によれば、従来２重の外壁を必要としたダブルスキンを、１重の外壁１０によって実現することができるとともに、外側ガラス１５および内側ガラス１６を一体の窓サッシ１４に組み込んで、一体製品として工場で製造し、かつ一体物として外壁１０に取り付けることが可能となる。また、躯体構造となる壁１１と、これに取り付けられた仕上げ材１２とからなる外壁１１も、一体物として施工が可能となる。
このため、従来と比較して構造が簡易になり、よって大幅なコスト低減を図ることができるとともに、施工も容易となり、これにより工事期間の短縮化も図ることができる。
【００２５】
また、窓サッシ１４に、外部と空気流通路１３とを連通させる外気取り入れ部２７を室内Ｒ側から開閉可能に設けるとともに、孔部２０に、開度を調節可能なダンパ２１を室内Ｒ側から操作可能に設けているので、例えば夏季や外気温度が高い時間帯のように、単に孔部２０のダンパ２１を開放してサッシ内空間１８と空気流通路１３とを連通させたのみでは、温室効果によって室内Ｒの冷房負荷が大きくなるような場合には、操作用ワイヤ３１によりロッド２８を介して外気取り入れ部２７を開くとともに、操作用ワイヤ２４によってダンパ２１の操作板２２を回動させて孔部２０の開度を絞ることにより、図中矢印で示すように、外気を空気流通路１３内に取り入れ、サッシ内空間１８の温度を外気温度近くまで下げ、室内Ｒへの冷房負荷を小さくすることができる。
【００２６】
他方、冬季や外気温度が低い時間帯には、逆に外気取り入れ部７を閉じて、サッシ内空間１８を閉空間とし、断熱空気層として機能させることによって、室内Ｒの保温効果を得ることができる。
このように、室内Ｒ側から、窓サッシ１４に設けた外部と空気流通路１３とを連通させる外気取り入れ部２７を開閉したり、あるいは孔部２０に設けた開閉ダンパ２１によって孔部２０の開閉操作を行うことにより、季節や外気温度等の状況に合わせて、適宜上記空気流通路内の空気温度を調整することができる。
【００２７】
さらに、上記操作と並行して、適宜サッシ内空間１８に組み込んだブラインド１７を操作することにより、上述した断熱性や快適性を一層向上させることが可能となる。
この際に、ブラインド１７は、内側ガラス１６を室内Ｒから開閉することにより容易にメンテナンス等が行えるために、別途室内にブラインド等の日除け手段を設ける必要が無い。
【００２８】
なお、上記実施の形態においては、ダンパ２１の操作板２２や外気取り入れ部２７を、操作ワイヤ２４、３１によって室内Ｒ側から操作可能に設けた場合についてのみ説明したが、これに限定されるものではなく、例えばモータ駆動のボールネジやラック・ピニオンを用いて操作板２２や外気取り入れ部２７を開閉操作するようにし、当該モータの起動・停止等を室内Ｒ側に設けたスイッチによって電気的に行う等することも可能である。
また、外壁構造としては、壁１１と仕上げ材１２との位置関係が逆の場合、すなわち躯体構造となる壁が外側に配された場合においても形成可能である。
【図面の簡単な説明】
【００２９】
【図１】本発明の空気流通窓を有する外壁構造の一実施形態を示す全体の縦断面図である。
【図２】図１の要部の拡大図である。
【図３】図１のＩＩＩ−ＩＩＩ線視した平面図である。
【図４】従来の外壁構造を示す全体の縦断面図である。
【符号の説明】
【００３０】
１０  外壁
１１  壁
１２  仕上げ材
１３  空気流通路
１４  窓サッシ
１５  外側ガラス
１６  内側ガラス
１７  ブラインド
１８  サッシ内空間
２０  孔部
２１  ダンパ
２４  ダンパー操作用ワイヤ
２７  外気取り入れ部
３１  操作用ワイヤ
Ｒ  室内
【図１】
2005256277.tif 000003
【図２】
2005256277.tif 000004
【図３】
2005256277.tif 000005
【図４】
2005256277.tif 000006